(57)【要約】【課題】潤滑油に混入している液化ガス燃料を効率的に分離して回収することができる内燃機関の液化ガス燃料供給装置及び高圧ポンプを提供する。【解決手段】液化ガス燃料を高圧ポンプで加圧するとともに内燃機関の燃料噴射部が接続されたコモンレールに圧送し、燃料噴射部から内燃機関に液化ガス燃料を供給する内燃機関の液化ガス燃料供給装置において、高圧ポンプに収容された潤滑油が保持される潤滑油保持空間に気液分離部が接続されるとともに、気液分離部の気相部分を吸引する吸引手段が設けられ、気液分離部は、少なくとも一部が潤滑油保持空間内の潤滑油の液面よりも低い位置に設けられた連通路を介して、潤滑油保持空間と連通する。【選択図】図２
2010071219.tif 000002
【特許請求の範囲】
【請求項１】
液化ガス燃料を高圧ポンプで加圧するとともに内燃機関の燃料噴射部が接続されたコモンレールに圧送し、前記燃料噴射部から前記内燃機関に前記液化ガス燃料を供給する内燃機関の液化ガス燃料供給装置において、
前記高圧ポンプに収容された潤滑油が保持される潤滑油保持空間に気液分離部が接続されるとともに、前記気液分離部の気相部分を吸引する吸引手段が設けられ、
前記気液分離部は、少なくとも一部が前記潤滑油保持空間内の潤滑油の液面よりも低い位置に設けられた連通路を介して、前記潤滑油保持空間と連通することを特徴とする内燃機関の液化ガス燃料供給装置。
【請求項２】
前記連通路が前記潤滑油保持空間と前記気液分離部との間の壁部に設けられた孔からなることを特徴とする請求項１に記載の内燃機関の液化ガス燃料供給装置。
【請求項３】
前記連通路が、互いに高さを異ならせて設けられた複数の流通孔からなることを特徴とする請求項１又は２に記載の内燃機関の液化ガス燃料供給装置。
【請求項４】
前記複数の流通孔のうちの相対的に低い位置に設けられた流通孔の通路面積を、相対的に高い位置に設けられた流通孔の通路面積よりも大きくすることを特徴とする請求項１〜３のいずれか一項に記載の内燃機関の液化ガス燃料供給装置。
【請求項５】
前記複数の流通孔のうちの相対的に高い位置に設けられた流通孔を、前記潤滑油保持空間内の潤滑油の液面よりも高い位置に設けることを特徴とする請求項１〜３のいずれか一項に記載の内燃機関の液化ガス燃料供給装置。
【請求項６】
前記相対的に高い位置に設けられた流通孔の通路面積を、相対的に低い位置に設けられた流通孔の通路面積よりも大きくすることを特徴とする請求項５に記載の内燃機関の液化ガス燃料供給装置。
【請求項７】
前記連通路が、少なくとも一部において前記潤滑油保持空間内の気相部分と前記気液分離部内の気相部分とを連通可能に構成された長孔であることを特徴とする請求項１又は２に記載の内燃機関の液化ガス燃料供給装置。
【請求項８】
前記潤滑油保持空間の一部に開口部を設け、前記開口部を前記連通路としての孔が設けられた隔壁板によって閉鎖するとともに、前記隔壁板を挟んで前記気液分離部が接続されることを特徴とする請求項１〜７のいずれか一項に記載の内燃機関の液化ガス燃料供給装置。
【請求項９】
カムの回転によって駆動され、液化ガス燃料を昇圧して圧送する高圧ポンプにおいて、
内部に収容された潤滑油が流通可能な潤滑油保持空間に気液分離部が接続されるとともに、前記気液分離部の気相部分を吸引する吸引手段が設けられ、前記気液分離部は、少なくとも一部が前記潤滑油保持空間内の潤滑油の液面よりも低い位置に設けられた連通路を介して、前記潤滑油保持空間と連通することを特徴とする高圧ポンプ。
【発明の詳細な説明】
【技術分野】
【０００１】
本発明は、内燃機関の液化ガス燃料供給装置及び高圧ポンプに関する。特に、カム室内の潤滑油に混入した液化ガス燃料を分離して回収する気液分離部を備えた内燃機関の液化ガス燃料供給装置及び高圧ポンプに関する。
【背景技術】
【０００２】
近年、ディーゼルエンジンによる大気汚染対策として、軽油の代わりに、排気がクリーンなＤＭＥ（ジメチルエーテル）を代替燃料として用いることが注目されている。このＤＭＥ燃料は、従来の燃料である軽油と異なり液化ガス燃料である。すなわち、ＤＭＥ燃料は軽油と比較して沸点が低く、大気圧下において、軽油が常温で液体であるのに対して、ＤＭＥは常温で気体となる性質を有している。このＤＭＥ燃料を従来のディーゼルエンジンに用いる場合、高圧ポンプへの供給圧力が低いとＤＭＥ燃料が気化してしまう。そのため、液体のＤＭＥ燃料を高圧ポンプへ供給するためには、軽油を用いる場合よりも、供給圧力を高くする必要がある。
【０００３】
従来のディーゼルエンジンにＤＭＥ燃料を用いる場合、ＤＭＥ燃料の粘度が軽油の粘度と比べて低いため、高圧ポンプへの高い供給圧力によって、プランジャバレルとプランジャとの隙間を介して加圧室からカム室へ漏れ出す燃料リーク量が、軽油を用いる場合と比べて大幅に増加するという問題がある。このカム室へ漏れ出したリーク燃料がカム室内の潤滑油に混入してしまうと、ＤＭＥ燃料が潤滑油中に溶け込むことによって潤滑油の粘性が低下し、高圧ポンプの動作に不具合が生じるおそれがある。また、ＤＭＥ燃料を用いた燃料噴射システムの場合、システム全体が密閉構造とされているため、カム室内にＤＭＥ燃料がリークすると、ＤＭＥの気化によって高圧ポンプの内部圧力が増加してシール部の耐圧を越えてしまい、燃料や潤滑油が漏れ出すおそれがある。
【０００４】
そこで、高圧ポンプのカム室内に漏れ出たＤＭＥ燃料を回収するように構成されたＤＭＥ燃料供給装置が提案されている。具体的には、図８に示すように、燃料タンク３０４からフィードパイプ３０５を経由して供給されたＤＭＥ燃料を、所定のタイミングで所定の量だけディーゼルエンジンの燃料噴射ノズル３０９に連通しているインジェクションパイプ３０３へ送出するインジェクションポンプ３０１と、当該インジェクションポンプ３０１のカム室３１２内に混入したＤＭＥ燃料とカム室３１２内の潤滑油とを分離可能なオイルセパレータ３１３と、当該オイルセパレータ３１３にて分離したＤＭＥ燃料を燃料タンク３０４へ回収するための連通路３０８と、当該連通路３０８に配設され、オイルセパレータ３１３を介してカム室３１２内の気相部を吸引する吸引手段３１６と、当該連通路３０８の吸引手段３１６とオイルセパレータ３１３との間に配設され、カム室３１２内の圧力を一定の圧力以上に維持するカム室内圧力制御手段３１４と、当該カム室内圧力制御手段３１４をバイパスして、カム室３１２と吸引手段３１６とを直接連通させるバイパス通路３６１と、当該バイパス通路３６１を開閉するバイパス通路開閉手段３６２とを備えたディーゼルエンジンのＤＭＥ燃料供給装置３００が開示されている（特許文献１参照）。
【特許文献１】特開２００４−６８６７４号公報  （特許請求の範囲、図１）
【発明の開示】
【発明が解決しようとする課題】
【０００５】
特許文献１に記載されたＤＭＥ燃料供給装置は、カム室内の気相部分を直接吸引することにより、気化したＤＭＥ燃料を回収しようとするものであり、リーク燃料の取出口がカム室上方の気相部分に設けられている。しかしながら、カム室内では、ポンプのプランジャを駆動するカムが固定されたカムシャフトが回転しており、潤滑油が攪拌された状態となっている。そのため、カム室内の気相部分には、気化したＤＭＥ燃料のみならずミスト状の潤滑油が浮遊しており、カム室内の気相部分を直接吸引した場合にはＤＭＥ燃料のみならずミスト状の潤滑油まで吸引されてしまい、ＤＭＥ燃料のみを吸引して取り出すことが困難であった。
【０００６】
そこで、本発明の発明者は鋭意努力し、気相部分の吸引手段が設けられた気液分離部を、少なくとも一部が潤滑油保持空間内の潤滑油の液面よりも低い位置に設けられた連通路を介してカム室等の潤滑油保持空間と連通し、静的な状態の気液分離部内の気相部分を吸引して液化ガス燃料を分離回収することによりこのような問題を解決できることを見出し、本発明を完成させたものである。すなわち、本発明は、カム室内におけるカム等の回転による潤滑油の攪拌状態の影響を受けない空間を形成し、当該空間内で、潤滑油に混入している液化ガス燃料を効率的に分離して回収することができる内燃機関の液化ガス燃料供給装置及び高圧ポンプを提供することを目的とする。
【課題を解決するための手段】
【０００７】
本発明によれば、液化ガス燃料を高圧ポンプで加圧するとともに内燃機関の燃料噴射部が接続されたコモンレールに圧送し、燃料噴射部から内燃機関に液化ガス燃料を供給する内燃機関の液化ガス燃料供給装置において、高圧ポンプに収容された潤滑油が保持される潤滑油保持空間に気液分離部が接続されるとともに、気液分離部の気相部分を吸引する吸引手段が設けられ、気液分離部は、少なくとも一部が潤滑油保持空間内の潤滑油の液面よりも低い位置に設けられた連通路を介して、潤滑油保持空間と連通することを特徴とする内燃機関の液化ガス燃料供給装置が提供され、上述した問題を解決することができる。
【０００８】
また、本発明の内燃機関の液化ガス燃料供給装置を構成するにあたり、連通路が潤滑油保持空間と気液分離部との間の壁部に設けられた孔からなることが好ましい。
【０００９】
また、本発明の内燃機関の液化ガス燃料供給装置を構成するにあたり、連通路が、互いに高さを異ならせて設けられた複数の流通孔からなることが好ましい。
【００１０】
また、本発明の内燃機関の液化ガス燃料供給装置を構成するにあたり、複数の流通孔のうちの相対的に低い位置に設けられた流通孔の通路面積を、相対的に高い位置に設けられた流通孔の通路面積よりも大きくすることが好ましい。
【００１１】
また、本発明の内燃機関の液化ガス燃料供給装置を構成するにあたり、複数の流通孔のうちの相対的に高い位置に設けられた流通孔を、潤滑油保持空間内の潤滑油の液面よりも高い位置に設けることが好ましい。
【００１２】
また、本発明の内燃機関の液化ガス燃料供給装置を構成するにあたり、相対的に高い位置に設けられた流通孔の通路面積を、相対的に低い位置に設けられた流通孔の通路面積よりも大きくすることが好ましい。
【００１３】
また、本発明の内燃機関の液化ガス燃料供給装置を構成するにあたり、連通路が、少なくとも一部において潤滑油保持空間内の気相部分と気液分離部内の気相部分とを連通可能に構成された長孔であることが好ましい。
【００１４】
また、本発明の内燃機関の液化ガス燃料供給装置を構成するにあたり、潤滑油保持空間の一部に開口部を設け、開口部を連通路としての孔が設けられた隔壁板によって閉鎖するとともに、隔壁板を挟んで気液分離部が接続されることが好ましい。
【００１５】
また、本発明の別の態様は、カムの回転によって駆動され、液化ガス燃料を昇圧して圧送する高圧ポンプにおいて、内部に収容された潤滑油が流通可能な潤滑油保持空間に気液分離部が接続されるとともに、気液分離部の気相部分を吸引する吸引手段が設けられ、気液分離部は、少なくとも一部が潤滑油保持空間内の潤滑油の液面よりも低い位置に設けられた連通路を介して、潤滑油保持空間と連通することを特徴とする高圧ポンプである。
【発明の効果】
【００１６】
本発明の内燃機関の液化ガス燃料供給装置によれば、少なくとも一部が潤滑油保持空間内の潤滑油の液面よりも低い位置に設けられた連通路を介して潤滑油保持空間と気液分離部とが連通しているため、液化ガス燃料が混入した潤滑油空間内の潤滑油又は気相部分が気液分離部内に容易に導かれる。また、気液分離部内は、カム室等の潤滑油保持空間内における、カム等の回転による潤滑油の攪拌状態の影響を受けにくく、ミスト状の潤滑油が存在しにくい状態になっているため、気液分離部内の気相部分を吸引することにより、気化した液化ガス燃料が効率的に回収される。したがって、潤滑油から液化ガス燃料を効率的に分離して回収することができる。
【００１７】
なお、本明細書において「潤滑油保持空間」とは、代表的にはカム室を意味するがこれに限られるものではなく、カム室と連通しておりカム室内の潤滑油が自由に流通可能な空間をも含む概念である。
【００１８】
また、本発明の内燃機関の液化ガス燃料供給装置において、連通路が所定の孔からなることにより、潤滑油保持空間内の潤滑油や気相部分を気液分離部に導くための特別な配管や送油手段を備える必要がなく、部品点数が軽減されるとともに、気液分離部が高圧ポンプに一体化され、省スペース化が図られる。
【００１９】
また、本発明の内燃機関の液化ガス燃料供給装置において、潤滑油保持空間と気液分離部とが互いに高さの異なる複数の流通孔によって接続されていることにより、一部の流通孔が潤滑油保持空間側から気液分離部側への通路となり、他方の流通孔が気液分離部側から潤滑油保持空間側への通路となって、潤滑油保持空間内の潤滑油又は気相部分が気液分離部内に容易に導かれる。
【００２０】
また、本発明の内燃機関の液化ガス燃料供給装置を構成するにあたり、相対的に低い位置の流通孔の通路面積が相対的に高い位置の流通孔の通路面積よりも大きいことにより、液化ガス燃料が分離された気液分離部内の潤滑油が、効率的に潤滑油保持空間内に戻される。
【００２１】
また、本発明の内燃機関の液化ガス燃料供給装置を構成するにあたり、相対的に高い位置の流通孔が、潤滑油保持空間内の潤滑油の液面よりも高い位置に設けられることにより、潤滑油保持空間内の気相部分と気液分離部内の気相部分とが連通し、吸引手段によって吸引されたときに気相部分が容易に気液分離部内に導かれる。そして、静的な状態の気液分離部内では潤滑油が下方に落下することから、吸引手段によって液化ガス燃料が効率的に回収される。
【００２２】
また、本発明の内燃機関の液化ガス燃料供給装置を構成するにあたり、相対的に高い位置の流通孔の通路面積が相対的に低い位置の流通孔の通路面積よりも大きいことにより、気液分離部内に導かれる気相部分の流速が過度に速められることがなく、気液分離部内が静的に保たれる。
【００２３】
また、本発明の内燃機関の液化ガス燃料供給装置を構成するにあたり、連通路が、所定の長孔からなることにより、気液分離部内が静的な状態に保たれたまま、潤滑油保持空間内の潤滑油及び気相部分が気液分離部内に容易に導かれ、潤滑油から液化ガス燃料を効率的に分離して回収することができる。
【００２４】
また、本発明の内燃機関の液化ガス燃料供給装置を構成するにあたり、潤滑油保持空間の開口部に配置された所定の隔壁板を介して気液分離部が接続されることにより、連通孔が容易に設けられるとともに、気液分離部が一体化され、コンパクト化された液化ガス燃料供給装置が提供される。
【００２５】
また、本発明の高圧ポンプによれば、所定の連通路によって潤滑油保持空間と連通する気液分離部を備えているため、液化ガス燃料が混入した潤滑油保持空間内の潤滑油又は気相部分が気液分離部内に容易に導かれる。また、気液分離部内は、カム室等の潤滑油保持空間内における、カム等の回転による潤滑油の攪拌状態の影響を受けにくく、ミスト状の潤滑油が存在しにくい状態になっているため、気液分離部内の気相部分を吸引することにより、気化した液化ガス燃料が効率的に回収される。したがって、潤滑油から液化ガス燃料を効率的に分離して回収することができる。
【発明を実施するための最良の形態】
【００２６】
以下、図面を参照して、本発明の内燃機関の液化ガス燃料供給装置及び高圧ポンプに関する実施の形態について具体的に説明する。ただし、かかる実施の形態は本発明の一態様を示すものであり、この発明を限定するものではなく、本発明の範囲内で任意に変更することが可能である。なお、それぞれの図中、同じ符号を付してあるものは同一の部材を示しており、適宜説明が省略されている。
【００２７】
１．液化ガス燃料供給装置
図１は、本実施形態のディーゼルエンジンの液化ガス燃料供給装置１００の概略構成を示している。
図１に示すディーゼルエンジンの液化ガス燃料供給装置１００は、燃料タンク１と、インタンクフィードポンプ２と、高圧ポンプ５と、コモンレール１０と、インジェクタ１３と、パージタンク９等を主要な構成要素として備えている。それぞれの構成要素は、燃料通路やパージ用通路で接続されている。
【００２８】
燃料タンク１には、液化ガス燃料が貯蔵されている。液化ガス燃料は、代表的なものとしてはジメチルエーテル（ＤＭＥ）が挙げられるが、内燃機関の燃料として用いることができる液化ガス燃料であれば、ＤＭＥ以外であっても構わない。また、燃料タンク１は液化ガス燃料を貯蔵しておくことができるものであれば特に制限されるものではない。
【００２９】
また、燃料タンク１内にはインタンクフィードポンプ２が配設され、このインタンクフィードポンプ２によって、燃料タンク１内の燃料が燃料供給通路１８を介して高圧ポンプ５に対して供給される。インタンクフィードポンプ２は、例えば電動ポンプが用いられ、電流を供給することにより所定の流量の液化ガス燃料が圧送される。また、インタンクフィードポンプ２の燃料吸い込み口にはプレフィルタ３を介在させてあり、燃料タンク１内の液化ガス燃料に異物が混入している場合に、それらの異物が吸い込まれないように捕集される。
なお、高圧ポンプ５に燃料を供給するフィードポンプはインタンク式のフィードポンプでなくてもよく、燃料タンク１とは別に外付けされたフィードポンプであっても構わない。
【００３０】
また、燃料タンク１と高圧ポンプ５とを接続する燃料供給通路１８には、フィルタ４と第１の開閉手段１９とが備えられている。燃料供給通路１８に備えられたフィルタ４によって液化ガス燃料中の浮遊物が捕集され、高圧ポンプ５に流入しないようになっている。また、第１の開閉手段１９は例えば電磁制御されるＯＮ−ＯＦＦ弁であり、燃料供給通路１８の開放、遮断が行われる。
【００３１】
また、高圧ポンプ５には流量制御弁８が備えられ、燃料供給通路１８を介して供給されてくる燃料は、要求されるコモンレール圧に応じて流量が制御されて、加圧室に送られる。この流量制御弁８は、例えば電磁比例式の流量制御弁が用いられる。また、流量制御弁８よりも上流側には燃料タンク１に通じる燃料戻し通路３０ａ、３０ｂが接続されている。この燃料戻し通路３０ｂには、流量制御弁８と並列的に配置されたオーバーフローバルブ１４が備えられており、流量制御弁８に送られる燃料流量が過大なときに開弁され、逆止弁３５を経由して余剰の燃料が燃料タンク１に戻される。
【００３２】
また、燃料戻し通路３０ａの途中には燃料クーラー１６が備えられている。この燃料クーラー１６は、燃料タンク１内に戻される液化ガス燃料を冷却し、液化ガス燃料の温度を所定温度以下に維持する。したがって、燃料特性が温度に大きく影響される液化ガス燃料が、内燃機関に対して安定的に供給される。
【００３３】
また、高圧ポンプ５は、加圧室に導入された液化ガス燃料をプランジャ（図示せず）によって加圧し、燃料吐出弁（図示せず）及び高圧燃料通路３７ａ、３７ｂを介してコモンレール１０に圧送する。この高圧ポンプ５における、プランジャを往復動させるためのカムが収容されたカム室（図示せず）は、ディーゼルエンジンの潤滑系と分離された専用潤滑系となっている。この高圧ポンプ５の構成については後述する。
【００３４】
また、コモンレール１０は、高圧ポンプ５から圧送されてくる高圧の液化ガス燃料を蓄積し、高圧燃料通路３９を介して複数のインジェクタ１３に対して均等な圧力で液化ガス燃料を供給する。このコモンレール１０にはレール圧センサ１１及び圧力制御弁１２が取り付けられている。圧力制御弁１２は、例えば電磁比例制御弁であり、レール圧センサ１１で検出される値が図示しない制御装置（ＥＣＵ：Electronic Control Unit）に送られ、この値をもとに圧力制御弁１２の開度が制御される。そして、高圧ポンプ５から圧送されてきた燃料の一部が燃料戻し通路３０ｃに排出されることにより、コモンレール１０内の圧力が所望の値に調節される。
【００３５】
また、コモンレール１０に接続された燃料噴射部としてのインジェクタ１３では、コモンレール１０から供給される高圧燃料の噴射制御が行われ、内燃機関の気筒内に燃料が供給される。インジェクタ１３の形態は特に制限されるものでは無いが、例えば、公知の電磁制御式の燃料噴射弁が用いられる。このインジェクタ１３の背圧制御に用いられ、排出された燃料は、逆止弁３１を介して燃料戻し通路３０ｅに流され、燃料タンク１に戻される。
このインジェクタ１３をはじめ、液化ガス燃料供給装置１００に備えられている制御部分は制御装置（ＥＣＵ）によって制御される。
【００３６】
また、本実施形態のディーゼルエンジンの液化ガス燃料供給装置１００には、液パージ手段が備えられている。この液パージ手段は、気相導入通路２０と、第１のパージ用通路２４と、燃料戻し通路３０ｂから分岐した第２のパージ用通路（液パージ用通路）２２と、燃料循環通路２８と、アスピレータ１７とを備えている。
このうち、気相導入通路２０は燃料タンク１の気相部分とコモンレール１０との間に配設され、途中に第２の開閉手段２１が配置されている。また、この気相導入通路２０におけるコモンレール１０と第２の開閉手段２１との間には逆止弁（図示せず。）が配置され、コモンレール１０内に高圧燃料が蓄圧された場合等においても、第２の開閉手段２１側への液化ガス燃料の流れが止められる。そのため、第２の開閉手段２１を小型、かつ、低耐圧型のものとすることができる。
【００３７】
また、第１のパージ用通路２４は第１の開閉手段１９よりも高圧ポンプ５側の燃料供給通路１８とコモンレール１０との間に配設され、途中に第３の開閉手段２５が配置されている。また、燃料循環通路２８は燃料供給通路１８から分岐し再び燃料タンク１に戻される循環通路として構成され、途中に第５の開閉手段２９とアスピレータ１７とが配置されている。さらに、第２のパージ用通路２２は高圧ポンプ５とアスピレータ１７との間に配設され、途中に第４の開閉手段２３が配置されている。
【００３８】
アスピレータ１７は、コモンレール１０やインジェクタ１３、高圧ポンプ５の内部の液化ガス燃料を燃料タンク１に回収するための吸引手段として用いられる。また、それぞれの通路に配置された開閉手段は、例えば電磁制御式のＯＮ−ＯＦＦ弁が用いられる。
【００３９】
また、本実施形態のディーゼルエンジンの液化ガス燃料供給装置１００には、気化パージ手段が備えられている。この気化パージ手段は、上述の第１のパージ用通路２４と、第２のパージ用通路２２から分岐した第３のパージ用通路（気化パージ用通路）２６と、パージタンク（低圧タンク）９とを備えている。
第３のパージ用通路２６は高圧ポンプ５とパージタンク９との間に配設され、途中に第６の開閉手段２７が備えられている。この第６の開閉手段２７についても、例えば電磁制御式のＯＮ−ＯＦＦ弁が用いられる。
【００４０】
また、パージタンク９は、第３のパージ用通路２６に連通するコモンレール１０及び高圧ポンプ５、インジェクタ１３内に残留する液化ガス燃料を気化させて回収する。このパージタンク９は公知のものを使用することができるが、本実施形態の液化ガス燃料供給装置では、大部分の燃料が液パージ手段によって回収された後に気化パージが行われるため、比較的容量の小さいパージタンクであっても利用することができる。
気化パージされて回収された燃料は、次回のエンジンの運転状態において、逆止弁３３を介して再液化コンプレッサ６に送られ、再液化された後、燃料戻し通路３０ｄ、３０ａを経由して燃料タンク１に戻される。
【００４１】
２．高圧ポンプ
（１）基本的構成
図２及び図３は、高圧ポンプ５の構成の一例を示しており、図２は高圧ポンプ５の一部を断面で表した側面図であり、図３は図２の高圧ポンプ５のＸＸ断面を矢印方向に見た断面図である。
図３に示すように、この高圧ポンプ５は、ポンプハウジング１１１と、ポンプハウジング１１１の円柱空間１１１ｂ内に装着されたプランジャバレル１１２と、プランジャバレル１１２の内部空間１１２ａに摺動保持されたプランジャ１１３と、両端をプランジャバレル１１２及びスプリングシート１１９に係止され、プランジャ１１３を下方側に付勢するためのスプリング１１５と、プランジャ１１３及びカム１２１の間に介在し、カム１２１の回転に伴いプランジャ１１３を押し上げるためのタペット構造体１１８とを備えている。また、プランジャバレル１１２の内部空間１１２ａの上方開口部にはインレットアウトレットバルブ１２０が配置されている。
【００４２】
かかる高圧ポンプ５において、プランジャバレル１１２の内部空間１１２ａの一部は、プランジャバレル１１２の内周面とプランジャ１１３とインレットアウトレットバルブ１２０とによって閉塞され、燃料加圧室１１４として構成されている。そして、インレットバルブ１２０ａを介して燃料加圧室１１４に流入した液化ガス燃料は、当該燃料加圧室１１４内で、カム１２１の回転運動に伴って押し上げられるプランジャ１１３によって加圧され、アウトレットバルブ１２０ｂが押し開かれることにより、高圧化された液化ガス燃料が下流側のコモンレール（図示せず）に圧送される。
【００４３】
この高圧ポンプ５では、プランジャ１１３の往復動による焼付きを防止するために、プランジャバレル１１２の内部空間１１２ａの内周面と、プランジャ１１３の外周面との間には、燃料加圧室１１４に流入した液化ガス燃料の一部がリークし、潤滑油として機能する。ここまで説明した高圧ポンプ５の基本的な構成は、従来の軽油を燃料とするディーゼルエンジンの燃料供給装置に用いられる高圧ポンプと基本的に同様の構成となっている。
【００４４】
本実施形態の高圧ポンプ５では、ポンプハウジング１１１の円柱空間１１１ｂに面するプランジャバレル１１２の外周面に二つのＯリング溝１４１ａ、１４１ｂが設けられ、それぞれＯリング１４３ａ、１４３ｂが配置されている。また、当該二つのＯリング溝１４１ａ、１４１ｂの間にはリーク回収室１４５が設けられている。このリーク回収室１４５は、上方のインレットバルブ１２０ａを介して燃料加圧室１１４に流入する液化ガス燃料の通路１４７及び下方のスプリング室１６１と隔離される。
また、プランジャバレル１１２には、リーク回収室１４５とプランジャ１１３の外周面に面する位置との間を連通するリーク回収通路１４９が設けられている。  
【００４５】
（２）潤滑油保持空間（カム室及びカムチャンバ）
また、図２及び図３に示すように、高圧ポンプ５のポンプハウジング１１１に形成されたカム室１１１ａ内には、内燃機関のドライブシャフトに連結されたカムシャフト１２３が配置されており、このカムシャフト１２３にはプランジャ１１３を押し上げるためのカム１２１が固定されている。また、カム室１１１ａは、カムシャフト１２３とドライブシャフトとが連結される側（図２の右側）とは反対側（図２の左側）の端部が開口し、当該開口部１１１ａａには、再液化コンプレッサ（図示せず。）が取付けられたカムチャンバ４０がボルト４３によって固定されている。これらのカム室１１１ａ及びカムチャンバ４０は、連通孔により互いに連通され、潤滑油が流通可能になっており、潤滑油保持空間として構成される。すなわち、高圧ポンプ５の駆動機構の潤滑性を確保するための潤滑油によって、再液化コンプレッサの駆動機構の潤滑性も確保される。
【００４６】
また、カムチャンバ４０内には、再液化コンプレッサを駆動するためのカム４５が固定された駆動シャフト（図示せず。）が配置され、当該駆動シャフトは、高圧ポンプ５のカムシャフト１２３の端部に接続されている。そのため、本実施形態の液化ガス燃料供給装置１００では、再液化コンプレッサは、高圧ポンプ５の駆動力を利用して駆動される。
【００４７】
図４（ａ）〜（ｂ）は、本実施形態の高圧ポンプに取付けられたカムチャンバ４０を示しており、図４（ａ）がカムチャンバ４０を駆動シャフトの軸方向に交差する方向から見た側面図であり、図４（ｂ）が図４（ａ）のカムチャンバ４０を矢印Ａの方向から見た図である。
このカムチャンバ４０は両端（図４（ａ）の左右両側）が開口しており、一端側にフランジ部４１が設けられポンプハウジングに当接されて固定されるとともに、他端側の開口部４７が、後述する隔壁板６０によって閉塞されている。また、カムチャンバ４０のフランジ部４１が設けられた端部側にはポンプハウジングの開口に挿入される挿入部５１が設けられ、当該挿入部５１には溝部５３が設けられ、潤滑油の漏れを防ぐシールリング５５が配置されている。
【００４８】
また、図４（ｂ）に示すように、隔壁板６０には、潤滑油保持空間としてのカムチャンバ４０と気液分離部としての気液分離器７０とを連通する連通路として、上方の気相流通孔６１及び下方の潤滑油流通孔６３が設けられている。このうち、気相流通孔６１はカムチャンバ４０内の潤滑油の液面よりも上方に設けられ、潤滑油流通孔６３はカムチャンバ４０内の潤滑油の液面よりも下方に設けられている。また、気相流通孔６１の通路面積は、潤滑油流通孔６３の通路面積よりも大きくされている。気相流通孔６１及び潤滑油流通孔６３の数は特に制限されるものではなく、いずれか一方あるいは両方を複数設けるようにしても構わない。
また、隔壁板６０のうち、後述する気液分離器が当接される外面６０Ａにも溝部６５が設けられ、潤滑油の漏れを防ぐシールリング６７が配置されている。
【００４９】
（３）気液分離部
ここで、図２及び図３に戻り、上述したように、高圧ポンプ５の燃料加圧室１１４からプランジャ１１３の外周面を介してリークする液化ガス燃料はリーク回収通路１４９及びリーク回収室１４５を介して回収されるようになってはいるものの、一部の液化ガス燃料がカム室１１１ａ内に漏れ出してしまう場合がある。また、カム室１１１ａ内に漏れ出した液化ガス燃料が混入した潤滑油は、さらに、カムチャンバ４０にも流入する。あるいは、カム室１１１ａ内で気化した液化ガス燃料がカムチャンバ４０内に移動することもあり得る。
【００５０】
ここで、カム室１１１ａ及びカムチャンバ４０内ではそれぞれカム１２１、４５が固定されたカムシャフト１２３及び駆動シャフトが回転駆動させられており、潤滑油が攪拌された状態となっている。そのため、カム室１１１ａやカムチャンバ４０の気相部分には液化ガス燃料だけでなくミスト状の潤滑油も浮遊しており、カム室１１１ａやカムチャンバ４０内の気相部分を吸引しても、気化した液化ガス燃料のみを回収することは容易ではない。
そこで、本実施形態の高圧ポンプ５には、気液分離部としての気液分離器７０が、カムチャンバ４０に対して、隔壁板６０を挟んだ状態でボルト７１によって固定されている。
【００５１】
図５（ａ）〜（ｂ）は、本実施形態の高圧ポンプ５に取付けられた気液分離器７０を示しており、図５（ａ）が気液分離器７０の側面図であり、図５（ｂ）が図５（ａ）の気液分離器７０を矢印Ｂの方向から見た側面図である。
この気液分離器７０は、カムチャンバ４０に取り付けられた隔壁板６０に当接する部分に開口（図示せず。）が設けられた分離器本体７３と、この開口を閉塞するように固定された取付フランジ７５と、分離器本体７３の上部に設けられ、気化した液化ガス燃料を分離器本体７３内から取出す気相導出部７７とを備えている。気相導出部７７には、気液分離器７０内の気相部分を吸引する吸引手段としての再液化コンプレッサ（図示せず。）に通じる気相導出通路（図示せず。）が接続されている。分離器本体７３の上部は、高圧ポンプ５及びカムチャンバ４０内の潤滑油の液面よりも上方に位置しているため、気相導出部７７は分離器本体７３内の潤滑油の液面よりも上方に位置し、潤滑油が導出されないようになっている。
【００５２】
また、図５（ａ）〜（ｂ）に示す気液分離器７０において、分離器本体７３は、カムチャンバ４０に当接する部分である下部７３Ｃと、気相導出部７７が設けられた上部７３Ａとの間の中間部７３Ｂが屈曲させられている。分離器本体７３がこのように屈曲していることによって、気相導出部７７までの距離が確保され、ミスト状の潤滑油が存在する場合であっても、当該ミスト状の潤滑油が排出されることが防止される。ただし、分離器本体７３の形状は特に制限されるものではない。
また、気液分離器７０に備えられた取付フランジ７５には上部開口７９ａ及び下部開口７９ｂが設けられている。この上部開口７９ａ及び下部開口７９ｂは、図４（ｂ）に示す、カムチャンバ４０に備えられた隔壁板６０の上方の気相流通孔６１及び下方の潤滑油流通孔６３にそれぞれ連通している。
【００５３】
したがって、図２に示すように、気液分離器７０とカムチャンバ４０とは、気相流通孔６１及び上部開口７９ａを含む上方側の気相流通系９０と、潤滑油流通孔６３及び下部開口７９ｂを含む下方側の液相流通系９１とによって互いに連通しており、カムチャンバ４０内の気相部分及び潤滑油が気液分離器７０内に流通可能になっている。
【００５４】
このように、気液分離器７０とカムチャンバ４０とが、隔壁板６０に設けられた比較的小径の気相流通孔６１及び潤滑油流通孔６３を介して連通し、気相流通孔６１及び潤滑油流通孔６３以外の部分は遮られていることから、カムチャンバ４０内の潤滑油がカム４５の回転によって攪拌されていようとも、気液分離器７０内の潤滑油は静的な状態に保たれている。特に、本実施形態の高圧ポンプ５の例では、図４（ｂ）に示すように、隔壁板６０に設けられた気相流通孔６１の通路面積が、潤滑油流通孔６３の通路面積に較べて大きくなっており、再液化コンプレッサによって気液分離器７０内の気相部分が吸引され、カムチャンバ４０内の気相部分が気液分離器７０内に流入する際に、気相部分の流速が過度に速められることがない。したがって、気液分離器７０内において、潤滑油がミスト状になりにくく、気化した液化ガス燃料と潤滑油との分離が適切に行われやすくなる。
【００５５】
ただし、隔壁板６０に設けられた気相流通孔６１の通路面積と潤滑油流通孔６３の通路面積の大きさの違いについては、潤滑油流通孔６３の通路面積が、気相流通孔６１の通路面積に較べて大きくなっていてもよい。潤滑油流通孔６３の通路面積が比較的大きくされている場合には、カムチャンバ４０と気液分離器７０との間を潤滑油が流通しやすくなり、潤滑油に溶け込んでいる液化ガス燃料が気液分離器７０内に導かれやすくなる。
【００５６】
本実施形態の高圧ポンプ５では、再液化コンプレッサによって気液分離器７０内の気相部分が吸引されることに伴い、カムチャンバ４０と気液分離器７０の気相部分を連通する上方側の気相流通系９０を介して、気化した液化ガス燃料及びミスト状の潤滑油を含むカムチャンバ４０内の気相部分が気液分離器７０に導入される。そして、気液分離器７０内に導入されたミスト状の潤滑油は下方に落下して滞留する一方、気化した液化ガス燃料は上部に設けられた気相導出部７７から導出されるとともに再液化コンプレッサによって液化されて燃料タンクに戻される。さらに、気液分離器７０内で下方に滞留する潤滑油は、カムチャンバ４０と気液分離器７０の液相部分を連通する下方側の液相流通系９１を介してカムチャンバ４０内に還流可能になっている。
【００５７】
このように、本実施形態の高圧ポンプ５は、カムチャンバ４０内での潤滑油の攪拌状態の影響が気液分離器７０内の潤滑油に伝達されないように気液分離器７０が接続されていることによって、気液分離器７０内が静的な状態に形成され、カム室１１１ａ内の潤滑油に混入した液化ガス燃料を分離して回収しやすく構成されている。したがって、高圧ポンプ５の燃料加圧室１１４に供給される液化ガス燃料に潤滑油が混合されることが防止されるため、燃料供給装置の損傷や、内燃機関の燃焼効率の不良を低減することができる。
【００５８】
３．連通路の別の構成例
これまで説明した本実施形態の高圧ポンプ５の構成例では、潤滑油保持空間としてのカムチャンバ４０と気液分離器７０とを連通する連通路として、潤滑油の液面よりも下方に設けられた潤滑油流通孔６３と、潤滑油の液面よりも上方に設けられた気相流通孔６１とが備えられているが、連通路の構成はこれ以外にも種々変更することができる。
【００５９】
例えば、図６（ａ）に示すように、一部が潤滑油の液面より下方に位置する一つの流通孔８１からなる連通路としたり、図６（ｂ）に示すように、一部が潤滑油の液面より下方に位置する一つの長孔８２からなる連通路としたりすることができる。このように、一つの流通孔８１あるいは長孔８２であっても、流通孔８１あるいは長孔８２が潤滑油の液面の上下にまたがって設けられていれば、カムチャンバ４０内の気相部分及び潤滑油が気液分離器７０に容易に導かれ、これまで説明した気相流通孔及び潤滑油流通孔と同様の機能が果たされる。
なお、図６（ａ）及び（ｂ）は、図４（ｂ）に対応する図である。
【００６０】
また、図７（ａ）〜（ｂ）に示すように、すべての部分が潤滑油の液面より下方に設けられた一つの流通孔８３あるいは複数の流通孔８４ａ、８４ｂからなる連通路とすることもできる。このように、連通路がすべて潤滑油の液面より下方に設けられている場合であっても、再液化コンプレッサによって気液分離器７０内の気相部分が吸引されることによって、潤滑油に溶け込んでいる気化しやすい液化ガス燃料が、気液分離器７０内に移動し、気液分離器７０内で気化して気相導出部を介して回収される。
なお、図７（ａ）及び（ｂ）は、図４（ｂ）に対応する図である。
【００６１】
また、これまで説明した連通路の構成例では、カムチャンバ４０と気液分離器７０とを連通する連通路が、隔壁板６０に設けられた孔によって構成されているが、管状の部材を用いて連通路を構成することもできる。ただし、本実施形態のように隔壁板６０を用いて構成することにより、高圧ポンプ５に気液分離器７０が一体化され、気液分離器７０を備えた高圧ポンプ５のコンパクト化が図られるため、好適な態様である。
【００６２】
また、連通路が、隔壁板６０に設けられた孔によって構成されていることによって、潤滑油をカムチャンバ４０と気液分離器７０との間で互いに行き来させる移送手段がなくても、気相部分又は潤滑油が容易に気液分離器７０内に導かれるため、部品点数も軽減され、コストの上昇が防止されるとともに、高圧ポンプ５のコンパクト化が図られる。
【００６３】
さらに、これまで説明した本実施形態の高圧ポンプ５の構成では、気液分離器７０は、カム室１１１ａに接続されたカムチャンバ４０に対して接続されているが、カムチャンバ４０を介さずにカム室１１１ａに直接接続される構成であっても本発明を適用することができる。再液化コンプレッサとして電動コンプレッサを採用し、再液化コンプレッサが高圧ポンプと別体にされる場合等において、所定の連通路を介してカム室に連通するように気液分離器を接続した場合であっても、カム室内の潤滑油の攪拌状態の影響が気液分離器内に伝達されることが低減され、気液分離器内で潤滑油がミスト状に浮遊することなく、液化ガス燃料を適確に分離して回収することができる。
なお、再液化された液化ガス燃料の還流先は燃料タンクに限られず、高圧ポンプへの燃料供給経路内に合流させることもできる。
【図面の簡単な説明】
【００６４】
【図１】本発明の実施の形態にかかる液化ガス燃料供給装置の構成例を示す図である。
【図２】本発明の実施の形態にかかる高圧ポンプの構成例を説明するための図である。
【図３】本発明の実施の形態にかかる高圧ポンプの構成例を説明するための別の図である。
【図４】カム室に接続されたカムチャンバの構成例を説明するための図である。
【図５】カムチャンバに接続された気液分離器の構成例を説明するための図である。
【図６】連通路の別の構成例を説明するための図である。
【図７】連通路のさらに別の構成例を説明するための図である。
【図８】従来の液化ガス燃料供給装置の構成を示す図である。
【符号の説明】
【００６５】
１００：液化ガス燃料供給装置、１：燃料タンク、２：インタンクフィードポンプ、３：プレフィルタ、４：フィルタ、５：高圧ポンプ、６：再液化コンプレッサ、８：流量制御弁、９：パージタンク、１０：コモンレール、１１：レール圧センサ、１２：圧力制御弁、１３：燃料噴射部（インジェクタ）、１４：オーバーフローバルブ、１６：燃料クーラー、１７：アスピレータ、１８：燃料供給通路、１９：第１の開閉手段、３０ａ・３０ｂ・３０ｃ・３０ｅ：燃料戻し通路、３７ａ・３７ｂ・３９：高圧燃料通路、４０：カムチャンバ、４１：フランジ部、４３：ボルト、４５：カム、４７：開口部、５１：挿入部、５３：溝部、５５：シールリング、６０：隔壁板、６１：気相流通孔、６３：潤滑油流通孔、６５：溝部、６７：シールリング、７０：気液分離器、７１：ボルト、７３：分離器本体、７３Ａ：上部、７３Ｂ：中間部、７３Ｃ：下部、７５：取付フランジ、７７：気相導出部、７９ａ：上部開口、７９ｂ：下部開口、８１：流通孔、８２：長孔、８３：流通孔、８４ａ・８４ｂ：流通孔、９０：気相流通系、９１：液相流通系、１１１：ポンプハウジング、１１１ａ：カム室、１１３：プランジャ、１１４：燃料加圧室、１２１：カム、１２３：カムシャフト、１４５：リーク回収室、１４９：リーク回収通路
【図１】
2010071219.tif 000003
【図２】
2010071219.tif 000004
【図３】
2010071219.tif 000005
【図４】
2010071219.tif 000006
【図５】
2010071219.tif 000007
【図６】
2010071219.tif 000008
【図７】
2010071219.tif 000009
【図８】
2010071219.tif 000010